(57)【特許請求の範囲】
【請求項１】
レンズ鏡胴本体に対してエンドレス回転が可能に配設されるとともに、光軸方向の第１のスライド位置と第２のスライド位置との間でスライド自在に配設された第１のリング部材と、
前記レンズ鏡胴本体に対して所定の回動範囲内のみで回動自在に配設された第２のリング部材であって、前記第１のリング部材が前記第１のスライド位置に移動すると、該第１のリング部材の一方の側面と当接可能に配設された第２のリング部材と、
前記レンズ鏡胴本体に対してエンドレス回転が可能に配設された第３のリング部材であって、前記第１のリング部材が前記第２のスライド位置に移動すると、該第１のリング部材の他方の側面と当接可能に配設された第３のリング部材と、
前記レンズ鏡胴本体の外周面に設けられた電磁石と前記第１のリング部材の内周面に設けられた永久磁石とからなるクリック機構であって、前記第１のリング部材が前記第１のスライド位置と第２のスライド位置との中間位置に位置するときに、互いに反発するようにそれぞれＳ極、Ｎ極が設けられ、前記第１のリング部材が前記中間位置からずれると、該第１のリング部材を前記第２のリング部材の端面又は第３のリング部材の端面に押圧するように磁力により付勢するクリック機構と、
前記電磁石の磁力を調整することにより前記第１のリング部材の切替え時の操作感触を調整する操作感触調整手段と、
を備えたことを特徴とするレンズ装置。
【請求項２】
前記電磁石及び永久磁石の少なくとも一方は、リング状に形成されていることを特徴とする請求項１に記載のレンズ装置。
【請求項３】
前記第１のリング部材のスライド方向の両端面に設けられた第１の磁性部材と、
前記第２のリング部材及び第３のリング部材の前記第１のリング部材の端面に対向する面に設けられた第２の磁性部材と、を備え、
前記第１、第２の磁性部材の少なくとも一方は永久磁石により構成され、前記第１のリング部材は、該第１のリング部材の第１のスライド位置への移動時又は第２のスライド位置への移動時に磁力により前記第２のリング部材又は第３のリング部材と吸着されることを特徴とする請求項１又は２に記載のレンズ装置。
【請求項４】
前記第１の磁性部材及び第２の磁性部材の少なくとも一方は、リング状に形成されていることを特徴とする請求項３に記載のレンズ装置。
【請求項５】
前記第１のリング部材の前記第１のスライド位置への移動時に前記第２のリング部材の回動位置に応じた絶対位置信号をフォーカスレンズの移動指令として出力する第１のマニュアルフォーカスモードと、前記第１のリング部材の前記第２のスライド位置への移動時に前記第１のリング部材又は第３のリング部材の回転量に応じた相対位置信号をフォーカスレンズの移動指令として出力する第２のマニュアルフォーカスモードとを切り替えるフォーカスモード切替え手段を備えたことを特徴とする請求項１から４のいずれか１項に記載のレンズ装置。
【請求項６】
前記第１のリング部材の光軸方向の第１のスライド位置又は第２のスライド位置への移動に伴って、前記第１のリング部材と第２のリング部材とを機械的に連結又は非連結させるクラッチ部を設けたことを特徴とする請求項１から５のいずれか１項に記載のレンズ装置。
【請求項７】
前記第１のリング部材が前記第１のスライド位置又は第２のスライド位置にある場合には、前記電磁石への通電をオフし、又は微弱電流に切り替え、前記第１のリング部材が前記第１のスライド位置又は第２のスライド位置から移動すると、前記電磁石への通電をオンにする制御手段を備えたことを特徴とする請求項１から６のいずれか１項に記載のレンズ装置。
【請求項８】
前記第１のリング部材の前記第１のスライド位置又は第２のスライド位置からの移動を、前記電磁石の回路に生じる誘導起電力により検出する検出手段を備えたことを特徴とする請求項７に記載のレンズ装置。
【請求項９】
前記操作感触調整手段は、前記電磁石をオンする際に、該電磁石への通電の立ち上がり特性を変更する手段を更に備えたことを特徴とする請求項７又は８に記載のレンズ装置。
【発明の詳細な説明】
【技術分野】
【０００１】
本発明はレンズ装置に係り、特にレンズ装置のリング部材のクリック機構に関する。
【背景技術】
【０００２】
従来、テレビの取材等で使用される持ち運び可能なＥＮＧ(Electronic News Gathering)カメラに用いられるレンズ装置において、フォーカスリングを手動で回動操作することによりフォーカスレンズを移動させて焦点調節を行うマニュアルフォーカス（ＭＦ）時に、フォーカスリングの回動位置に応じた絶対位置信号をフォーカスレンズの移動指令として出力する第１のＭＦモードと、フォーカスリングの回転量に応じた相対位置信号をフォーカスレンズの移動指令として出力する第２のＭＦモードとを有するものが知られている（特許文献１）。
【０００３】
図１２は特許文献１に記載のレンズ装置の要部の拡大断面図である。
【０００４】
このレンズ装置は、レンズ鏡胴本体の一部を構成する前固定環１の外周部に、第１フォーカスリング２、及び第２フォーカスリング３がそれぞれ回動可能に配置され、第１フォーカスリング２は、回動範囲が規制されておらず、エンドレス回転させることができるとともに、光軸方向にスライド可能に配設され、第２フォーカスリング３は、ストッパーにより約１２０度の範囲内で回動できるように規制されている。
【０００５】
第１フォーカスリング２と第２フォーカスリング３とが対向する端面には、それぞれ鋸歯状のクラッチ部２Ａ、３Ａが形成されており、図１３に示す状態では、クラッチ部２Ａ，３Ａが連結（噛合）し、第１フォーカスリング２と第２フォーカスリング３とが一体的に回動する。従って、この状態で、第１フォーカスリング２を手動で回動させる場合には、約１２０度の範囲内でのみ回動させることができる。
【０００６】
一方、第１フォーカスリング２を、クリック用弾性部材４を乗り越えるように前方にスライドさせると、前記クラッチ部２Ａ、３Ａの連結が外れる。これにより第１フォーカスリング７０は、エンドレス回転できるようになる。
【０００７】
クリック用弾性部材４は、図１４に示すように前固定環１の周囲を３等分割した各位置に配設され、その中央部の上面にかまぼこ形状を有する凸部４Ａが形成されている。第１フォーカスリング２の内周面のうちのほぼ中央部の内周面には、２つの斜面を有する断面三角形状の当接部２Ｂが形成されている。この第１フォーカスリング２をスライド操作し、第１フォーカスリング２の当接部２Ｂが、クリック用弾性部材４の凸部４Ａを押し下げて乗り越える、図１２に示す位置に移動すると、第１フォーカスリング２の端部に形成されたクラッチ部２Ａが、第２フォーカスリング７２の端部に形成されたクラッチ部３Ａと噛み合い、第１フォーカスリング７０と第２フォーカスリング７２とが一体的に回動できるようになる。
【０００８】
一方、第１フォーカスリング２を、図１２上で左方向にスライド操作し、第１フォーカスリング２の当接部２Ｂが、クリック用弾性部材４の凸部４Ａを押し下げて乗り越える所定の位置に移動すると、クラッチ部２Ａ、３Ａの連結が外れる。これにより、第１フォーカスリング２はエンドレス回転が可能になる。
【０００９】
そして、第１フォーカスリング２をスライド操作し、第１フォーカスリング２の当接部２Ｂが、クリック用弾性部材４の凸部４Ａを乗り越えて移動するときにクリック力が生じ、クリック感が得られる。
【００１０】
また、クリック感を操作者に付与するために、マグネットを使用した操作モード選択装置が提案されている（特許文献２）。
【００１１】
この操作モード選択装置は、操作ダイヤルにＮ極とＳ極とを交互に同一円周上に設けたクリック感用可動マグネットを配置し、このクリック感用可動マグネットと対向する位置に、同一ピッチで異なる磁極を交互に同一円周上に設けたクリック感用固定マグネットを配置して構成され、前記クリック感用固定マグネットとの間の吸引力、反発力によって生じるクリック感を操作ダイヤルに付与するようにしている。
【先行技術文献】
【特許文献】
【００１２】
【特許文献１】特開２０１１−４３７０６号公報
【特許文献２】特開２０１０−１７６９７１号公報
【発明の概要】
【発明が解決しようとする課題】
【００１３】
特許文献１に記載のレンズ装置のクリック機構は、第１フォーカスリング２のスライド位置が切り替わるときの感触（「カチッ」というクリック感）が弱いという問題がある。また、第１フォーカスリング２がクリック用弾性部材４を乗り越えた際に、クリック用弾性部材４により付与される両端側への引き込み力が弱いという問題がある。尚、クリック用弾性部材４の弾性力を強くすることにより上記の問題を解決することが考えられるが、この場合には、クリック用弾性部材４を乗り越えるための第１フォーカスリング２の操作力が過大となり、操作しにくくなるという問題がある。
【００１４】
一方、特許文献２に記載の操作モード選択装置は、操作ダイヤルを所定の角度ずつ回動させる毎に、クリック感用固定マグネットとクリック感用可動マグネットとの相互の吸引力及び反発力とによりクリック感が得られるが、このクリック感は、操作ダイヤルを回動させる際に生じる操作ダイヤルの負荷の変化であり、操作ダイヤルの移動後に「カチッ」という感触が指先に返ってくるものではない。
【００１５】
本発明はこのような事情に鑑みてなされたもので、レンズ鏡胴本体に対して回転するとともに光軸方向にスライド移動するリング部材のスライド移動による切替え時の感触を向上させることができるレンズ装置を提供することを目的とする。
【課題を解決するための手段】
【００１６】
前記目的を達成するために本発明の一の態様に係るレンズ装置は、レンズ鏡胴本体に対してエンドレス回転が可能に配設されるとともに、光軸方向の第１のスライド位置と第２のスライド位置との間でスライド自在に配設された第１のリング部材と、前記レンズ鏡胴本体に対して所定の回動範囲内のみで回動自在に配設された第２のリング部材であって、前記第１のリング部材が前記第１のスライド位置に移動すると、該第１のリング部材の一方の側面と当接可能に配設された第２のリング部材と、前記レンズ鏡胴本体に対してエンドレス回転が可能に配設された第３のリング部材であって、前記第１のリング部材が前記第２のスライド位置に移動すると、該第１のリング部材の他方の側面と当接可能に配設された第３のリング部材と、前記レンズ鏡胴本体の外周面に設けられた電磁石と前記第１のリング部材の内周面に設けられた永久磁石とからなるクリック機構であって、前記第１のリング部材が前記第１のスライド位置と第２のスライド位置との中間位置に位置するときに、互いに反発するようにそれぞれＳ極、Ｎ極が設けられ、前記第１のリング部材が前記中間位置からずれると、該第１のリング部材を前記第２のリング部材の端面又は第３のリング部材の端面に押圧するように磁力により付勢するクリック機構と、前記電磁石の磁力を調整することにより前記第１のリング部材の切替え時の操作感触を調整する操作感触調整手段と、を備えたことを特徴としている。
【００１７】
本発明の一の態様によれば、前記レンズ鏡胴本体の外周面に設けられた電磁石と前記リング部材の内周面に設けられた永久磁石とからなるクリック機構は、前記第１のリング部材が前記第１のスライド位置と第２のスライド位置の中間に位置するときに、互いに反発するようにそれぞれＳ極、Ｎ極が設けられ、前記第１のリング部材が前記中間位置からずれると、該第１のリング部材を前記第２のリング部材の端面又は第３のリング部材の端面に押圧するように磁力により付勢することができる。前記第１のリング部材をスライドさせる際に、第１のリング部材が中間位置に近づくにつれて大きな操作力を必要とし、中間位置を越えると、第１のリング部材は、電磁石と永久磁石との磁力により他方のスライド位置に移動させられ、第２又は第３のリング部材に当接するとともに、磁力により付勢される。この第１のリング部材の当接時に良好な切替え感触を得ることができ、また、第１のリング部材のスライド位置が中間位置の前後で第１のリング部材の操作力が変化し、クリック感を得ることができる。更に、前記操作感触調整手段により前記電磁石の磁力を調整することにより前記第１のリング部材の切替え時の操作感触を任意に調整することができる。
【００１８】
本発明の他の態様に係るレンズ装置において、前記電磁石及び永久磁石の少なくとも一方は、リング状に形成されていることを特徴としている。これにより、前記第１のリング部材の回転位置にかかわらず、前記電磁石と永久磁石との間で磁力が得られるようにしている。
【００１９】
本発明の更に他の態様に係るレンズ装置において、前記第１のリング部材のスライド方向の両端面に設けられた第１の磁性部材と、前記第２のリング部材及び第３のリング部材の前記第１のリング部材の端面に対向する面に設けられた第２の磁性部材と、を備え、前記第１、第２の磁性部材の少なくとも一方は永久磁石により構成され、前記第１のリング部材は、該第１のリング部材の第１のスライド位置への移動時又は第２のスライド位置への移動時に磁力により前記第２のリング部材又は第３のリング部材と吸着されることを特徴としている。
【００２０】
本発明の更に他の態様によれば、前記第１のリング部材の一方の端面に設けられた第１の磁性部材と、前記第２のリング部材の前記第１のリング部材の一方の端面に対向する面に設けられた第２の磁性部材とが当接し、前記第１、第２の磁性部材の少なくとも一方の磁石による磁力により吸着させることができ、同様に第１のリング部材を第２のスライド位置に移動させると、第１のリング部材の他方の端面に設けられた第１の磁性部材と、前記第３のリング部材の前記第１のリング部材の他方の端面に対向する面に設けられた第２の磁性部材とが当接し、前記第１、第２の磁性部材の少なくとも一方の磁石による磁力により吸着させることができる。上記磁力による第１、第２のリング部材間の当接時、又は第１、第３のリング部材間の当接時に良好な切替え感触（「カチッ」という指先に返ってくる感触）を得ることができる。また、前記第１のリング部材と第２のリング部材とは磁力により吸着するため、第１のリング部材を操作することにより第２のリング部材を所定の回動範囲内で回動させることができ、前記第１、第２の磁性部材は、第１のリング部材から第２のリング部材に回動力を伝達し、又は切断するためのクラッチ部として機能することができる。
【００２１】
本発明の更に他の態様に係るレンズ装置において、前記第１の磁性部材及び第２の磁性部材の少なくとも一方は、リング状に形成されていることを特徴としている。これにより、前記第１のリング部材の回転位置にかかわらず、前記第１、第２の磁性部材の間で吸着力が得られるようにしている。
【００２２】
本発明の更に他の態様に係るレンズ装置において、前記第１のリング部材の前記第１のスライド位置への移動時に前記第２のリング部材の回動位置に応じた絶対位置信号をフォーカスレンズの移動指令として出力する第１のマニュアルフォーカスモードと、前記第１のリング部材の前記第２のスライド位置への移動時に前記第１のリング部材又は第３のリング部材の回転量に応じた相対位置信号をフォーカスレンズの移動指令として出力する第２のマニュアルフォーカスモードとを切り替えるフォーカスモード切替え手段を備えたことを特徴としている。これにより、前記第１のリング部材を前記第１のスライド位置に移動させると、第１のマニュアルフォーカスモードに切り替えられ、前記第１のリング部材により回動可能な第２のリング部材の回動位置に応じた絶対位置信号をフォーカスレンズの移動指令として出力することができ、また、前記第１のリング部材を前記第２のスライド位置に移動させると、第２のマニュアルフォーカスモードに切り替えられ、前記第１のリング部材の回動量、又は第１のリング部材により回動可能な第３のリング部材の回転量に応じた相対位置信号をフォーカスレンズの移動指令として出力することができる。
【００２３】
本発明の更に他の態様に係るレンズ装置において、前記第１のリング部材の光軸方向の第１のスライド位置又は第２のスライド位置への移動に伴って、前記第１のリング部材と第２のリング部材とを機械的に連結又は非連結させるクラッチ部を設けたことを特徴としている。これにより、前記第１のリング部材と第２のリング部材とが当接すると、前記第１のリング部材と第２のリング部材とが機械的に連結されるため、前記第１のリング部材の回動力を前記第２のリング部材に確実に伝達することができる。
【００２４】
本発明の更に他の態様に係るレンズ装置において、前記第１のリング部材が前記第１のスライド位置又は第２のスライド位置にある場合には、前記電磁石への通電をオフし、又は微弱電流に切り替え、前記第１のリング部材が前記第１のスライド位置又は第２のスライド位置から移動すると、前記電磁石への通電をオンにする制御手段を備えたことを特徴としている。前記電磁石を常時通電すると、消費電力が過大になるが、前記第１のスライド部材がスライド移動するときのみ通電することにより、消費電力を低減することができる。
【００２５】
本発明の更に他の態様に係るレンズ装置において、前記第１のリング部材の前記第１のスライド位置又は第２のスライド位置からの移動を、前記電磁石の回路に生じる誘導起電力により検出する検出手段を備えたことを特徴としている。前記第１のリング部材をスライド移動させると、同時に永久磁石も移動することになり、前記電磁石のコイルに誘導起電力が発生する。前記検出手段は、この誘導起電力を検出することにより前記第１のリング部材の移動を検知する。
【００２６】
本発明の更に他の態様に係るレンズ装置において、前記操作感触調整手段は、前記電磁石をオンする際に、該電磁石への通電の立ち上がり特性を変更する手段を更に備えたことを特徴としている。前記電磁石をオンする際に、該電磁石への通電の立ち上がり特性を変更可能にすることにより、前記第１のリング部材を移動させる際の初期の操作感触を調整することができる。
【発明の効果】
【００２７】
本発明によれば、レンズ鏡胴本体に対して回転するとともに光軸方向にスライド移動するリング部材のスライド移動時に、磁力の調整が可能な電磁石と永久磁石との間に生じる磁力により、リング部材のスライド移動時の切替え時の切替え力を調整できるようにしたため、操作者の好みの切替え感触を得ることができる。
【図面の簡単な説明】
【００２８】
【図１】本発明に係るレンズ装置の第１の実施形態を示す要部断面図であり、第１フォーカスリングがスライド方向の中間位置に位置している状態を示す図
【図２】本発明に係るレンズ装置の第１の実施形態を示す要部断面図であり、第１フォーカスリングがスライド方向の一端に位置している状態を示す図
【図３】本発明に係るレンズ装置の第１の実施形態を示す要部断面図であり、第１フォーカスリングがスライド方向の他端に位置している状態を示す図
【図４】図２の要部拡大図
【図５】電磁石の第１の実施形態を示す回路図
【図６】電磁石の第２の実施形態を示す回路図
【図７】電磁石の制御動作を示すフローチャート
【図８】電磁石の第３の実施形態を示す回路図
【図９】本発明に係るレンズ装置の第２の実施形態を示す要部断面図であり、第１フォーカスリングがスライド方向の中間位置に位置している状態を示す図
【図１０】本発明に係るレンズ装置の第２の実施形態を示す要部断面図であり、第１フォーカスリングがスライド方向の一端に位置している状態を示す図
【図１１】本発明に係るレンズ装置の第２の実施形態を示す要部断面図であり、第１フォーカスリングがスライド方向の他端に位置している状態を示す図
【図１２】従来のレンズ装置の要部断面図
【図１３】従来のレンズ装置の第１フォーカスリングと第２フォーカスリングとが連結された状態を示す斜視図
【図１４】従来のレンズ装置のレンズ鏡胴本体の要部を示す斜視図
【発明を実施するための形態】
【００２９】
以下、添付図面に従って本発明に係るレンズ装置の実施の形態について説明する。
【００３０】
本発明に係るレンズ装置は、例えば民生用のビデオカメラ、テレビ放送用のＥＮＧカメラ、監視用カメラ等に適用されるレンズ装置である。
【００３１】
光学系の焦点位置を変更するフォーカスレンズは、光軸方向に移動可能に配設され、ボイスコイルモータ（ＶＣＭ）等の動力によって電動で光軸方向に駆動されるようになっている。
【００３２】
レンズ装置には、ＡＦ／ＭＦ切替えスイッチ、ノンロック式のＡＦプッシュスイッチ等の操作スイッチが設けられており、これらのスイッチの操作によりフォーカスレンズを制御できるようになっている。
【００３３】
ＡＦ／ＭＦ切替えスイッチは、被写体像のコントラストが最大になるように自動的にフォーカスレンズを移動させて焦点調節を行うオートフォーカス（ＡＦ）モードと、後述する第１フォーカスリング２０を手動で回転操作することによりフォーカスレンズを移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００３４】
［第１の実施形態］
図１は本発明に係るレンズ装置の第１の実施形態を示す要部断面図であり、第１フォーカスリング２０がスライド方向の中間位置に位置している状態に関して示している。
【００３５】
図１において、レンズ装置のレンズ鏡胴本体１０は、非磁性体であるアルミ合金により形成されており、このレンズ鏡胴本体１０には、それぞれポリカーボネート等の樹脂からなる第１フォーカスリング２０、第２フォーカスリング３０及び第３フォーカスリング４０がそれぞれ回動可能に配置されている。
【００３６】
第１フォーカスリング２０は、回転範囲が規制されておらず、エンドレス回転が可能に配設されるとともに、光軸方向（矢印Ａ，Ｂ方向）にスライド可能に配設されている。また、第２フォーカスリング３０は、図示しないストッパーにより約１２０度の範囲内で回動できるように規制され、第３フォーカスリング４０は、回転範囲が規制されておらず、エンドレス回転が可能に配設されている。
【００３７】
前記レンズ鏡胴本体１０の外周面の一部、前記第２フォーカスリング３０及び第３フォーカスリング４０により、所定幅を有する周状の凹溝１２が形成され、第１フォーカスリング２０の下面側には、前記凹溝１２と係合する凸部２０Ａが形成されている。
【００３８】
上記第１フォーカスリング２０の凸部２０Ａの両側面には、それぞれ磁石（永久磁石）２２、２４が配設され、これらの磁石２２、２４に対向する第２フォーカスリング３０、及び第３フォーカスリング４０の側面には、それぞれ磁石（永久磁石）３２、４２が配設されている。
【００３９】
ここで、前記磁石２２と磁石３２、及び磁石２４と磁石４２の各一対の磁石は、互いに吸着力が作用するように（Ｎ極とＳ極とが対向するように）磁極の方向が決定されて配置されている。また、前記磁石２２と磁石３２、及び磁石２４と磁石４２の各一対の磁石のうちの少なくとも一方は、リング状に形成されており、これにより、第１フォーカスリング２０の回転位置にかかわらず、上記磁石間で吸着力が得られるようになっている。
【００４０】
また、レンズ鏡胴本体１１０の外周面（第２フォーカスリング３０と第３フォーカスリング４０との間の外周面）には、電磁石１４が設けられている。
【００４１】
一方、第１フォーカスリング２０の内周面（電磁石１４と対向する位置）には、磁石（永久磁石）２６が配設されている。尚、この実施形態では、レンズ鏡胴本体１０側の電磁石１４は、通電時に図１上で上方がＮ極となり、下方がＳ極となるように構成され、第１フォーカスリング２０側の磁石２６は、電磁石１４と対向する側がＮ極になっている。
【００４２】
図１に示すように第１フォーカスリング２０は、スライド方向（矢印ＡＢ方向）の中間位置に位置しており、この状態では、レンズ鏡胴本体１０側の電磁石１４と第１フォーカスリング２０側の磁石２６とは、互いに反発するように同じ極性の磁極が対向している。また、電磁石１４と磁石２６のうちの少なくとも一方は、リング状に形成されており、これにより、第１フォーカスリング２０の回転位置にかかわらず、電磁石１４と磁石２６との間で反発力等の磁力が得られるようになっている。
【００４３】
更に、第２フォーカスリング３０及び第３フォーカスリング４０の周囲には、それぞれ歯車３４，４４が形成されており、これらの歯車３４，４４は、それぞれ図示しない絶対位置検出型センサ（アブソリュートエンコーダ）、及び相対位置検出型センサ（インクリメンタルエンコーダ）の検出軸の歯車に連結している。
【００４４】
上記絶対位置検出型センサにより第２フォーカスリング３０の絶対的な回転位置を検知することができるとともに、相対位置検出型センサにより第３フォーカスリング４０の相対的な回転量を検知することができるようになっている。
【００４５】
次に、上記構成の第１の実施形態のレンズ装置の作用について説明する。
【００４６】
図１は、第１フォーカスリング２０がスライド方向（矢印ＡＢ方向）の中間位置に位置している状態に関して示している。この状態では、磁石２２と磁石３２との間隔、及び磁石２４と磁石４２との間隔が同じため、同じ磁力で互いに吸引して釣り合っているが、この状態は不安定な状態である。また、通電された電磁石１４と磁石２６とは、互いに同じ極性の磁極（Ｎ極）が対向し、反発力が発生するため、この状態は不安定な状態である。従って、通常、この中間位置で第１フォーカスリング２０が停止することはない。
【００４７】
図２及び図３は、それぞれ本発明に係るレンズ装置の第１の実施形態を示す要部断面図であり、第１フォーカスリング２０がスライド方向（矢印Ａ方向）の一端の第１のスライド位置に位置している状態、及び第１フォーカスリング２０がスライド方向（矢印Ｂ方向）の他端の第２のスライド位置に位置している状態に関して示している。
【００４８】
図２に示すように、第１フォーカスリング２０が手動により矢印Ａ方向にスライド操作され、図１に示した中間位置を越えると、第１フォーカスリング２０は、磁石２２と磁石３２との間に生じる磁力により吸引されて矢印Ａ方向の移動端（第１のスライド位置）まで移動する。
【００４９】
同様に、第１フォーカスリング２０が図１に示した中間位置を越えると、電磁石１４と磁石２６との反発力により、第１フォーカスリング２０は、矢印Ａ方向の移動端まで移動する。
【００５０】
図４は図２の要部拡大図である。図４に示すように電磁石１４と磁石２６との間では、同じ極性の磁極同士により反発力が発生し、この反発力により第１フォーカスリング２０には、第２フォーカスリング３０と当接する付勢力が加わる。
【００５１】
このように第１フォーカスリング２０は、磁石２２と磁石３２との間に生じる磁力により吸引されるとともに、電磁石１４と磁石２６との反発力により、矢印Ａ方向の第１のスライド位置まで移動する。そして、第１フォーカスリング２０の矢印Ａ方向の移動端では、第１フォーカスリング２０側の磁石２２が第２フォーカスリング３０側の磁石３２に当接し、磁石２２と磁石３２とが吸着固定される。上記磁石２２、３２間の吸着力、及び電磁石１４と磁石２６による付勢力による当接時に、第１フォーカスリング２０に触れている指先には、「カチッ」という感触が伝わり、良好な切替え感触が得られる。
【００５２】
ここで、第１フォーカスリング２０を回転させると、第１フォーカスリング２０に磁力により吸着している第２フォーカスリング３０が同時に回転する。第２フォーカスリング３０は、前述したように回動範囲が約１２０°に制限されているため、第１フォーカスリング２０は、この制限された回動範囲内で回動可能になる。
【００５３】
一方、図２に示す状態から第１フォーカスリング２０を、磁石２２と磁石３２との吸着力、及び電磁石１４と磁石２６による付勢力に抗して矢印Ｂ方向にスライド操作し、第１フォーカスリング２０が、図１に示した中間位置を越えると、第１フォーカスリング２０は、図３に示すように磁石２４と磁石４２との間に生じる磁力により吸引されるとともに、電磁石１４と磁石２６との反発力により、矢印Ｂ方向の移動端（第２のスライド位置）まで移動する。そして、第１フォーカスリング２０の矢印Ｂ方向の移動端では、第１フォーカスリング２０側の磁石２４が第３フォーカスリング４０側の磁石４２に当接し、磁石２４と磁石４２とが吸着固定される。上記磁石２４、４２間の吸着力、及び電磁石１４と磁石２６による付勢力による当接時に、第１フォーカスリング２０に触れている指先には、「カチッ」という感触が伝わり、良好な切替え感触が得られる。
【００５４】
ここで、第１フォーカスリング２０を回転させると、第１フォーカスリング２０に磁力により吸着している第３フォーカスリング４０が同時に回転する。第３フォーカスリング４０は、前述したように回転範囲が規制されておらず、エンドレス（エンド端なし）で回転可能に配設されているため、第１フォーカスリング２０は、第３フォーカスリング４０とともにエンドレスで回転させることができる。
【００５５】
ところで、前述したようにＡＦ／ＭＦ切替えスイッチによりＭＦモードに切り替えられると、第１フォーカスリング２０の手動操作によるフォーカスレンズの移動制御が可能になる。また、ＭＦモードに切り替えられている場合には、第１フォーカスリング２０のスライド位置に応じて、フルＭＦモード（エンド端付き）とＡＦ／ＭＦモード（エンド端なし）との切替えが行われる。
【００５６】
第１フォーカスリング２０のスライド位置（図２に示した第１のスライド位置、及び図３に示した第２のスライド位置）は、第１フォーカスリング２０のスライド位置に応じてＯＮ／ＯＦＦする、フォトインタラプタやマイクロスイッチ等の検出手段（図示せず）の検出信号により検知することができる。そして、フォーカスモード切替え手段は、前記検出手段により第１フォーカスリング２０が図２に示した第１のスライド位置にあることが検知されると、フルＭＦモード（エンド端付き）に切り替え、第１フォーカスリング２０が図３に示した第２のスライド位置にあることが検知されると、ＡＦ／ＭＦモード（エンド端なし）に切り替える。
【００５７】
図２に示したように第１フォーカスリング２０と第２フォーカスリング３０とが連結され、ＭＦモードとしてフルＭＦモード（エンド端付き）に切り替えられると、第２フォーカスリング３０の歯車３４に連結している絶対位置検出型センサからの絶対位置信号（至近から無限遠の範囲内の撮影距離を指令する信号）に基づいてフォーカスレンズが駆動制御される。このようにフルＭＦモードに切り替えられると、第１フォーカスリング２０を手動で操作することにより、フォーカスレンズを所望の撮影距離に対応する位置に移動させることができる。尚、第１フォーカスリング２０は、ストッパーによって回動範囲が規制されている端付きの第２フォーカスリング３０に連結しているため、その回動範囲が第２フォーカスリング３０と同様に規制され、至近端から無限遠端に対応する回動範囲内で回動できるようになっている。
【００５８】
上記フルＭＦモードは、第１フォーカスリング２０が第２フォーカスリング３０を介して回動範囲が制限されており、操作者は、第１フォーカスリング２０がエンド端に到達したときの操作感によってフォーカスレンズが至近端又は無限遠端に到達したことを認識することができる。このような第１フォーカスリング２０のみによるフォーカス操作は、本職のカメラマン等が使い慣れた方式である。
【００５９】
一方、図３に示したように第１フォーカスリング２０と第３フォーカスリング４０とが連結され、ＭＦモードとしてＡＦ／ＭＦモード（エンド端なし）に切り替えられると、第１フォーカスリング２０を回転させることによりフォーカスレンズを移動させるＭＦモードと、前述したＡＦプッシュスイッチの押下によるＡＦモードとを適宜使い分けてフォーカス制御を行うことができる。
【００６０】
即ち、ＡＦ／ＭＦモード時に第１フォーカスリング２０が操作されると、第１フォーカスリング２０とともに回転する第３フォーカスリング４０の歯車４４に連結している相対位置検出型センサからの相対位置信号に基づいて、第１フォーカスリング２０の回動量に対応した移動量だけフォーカスレンズを移動させることができる。
【００６１】
尚、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズの位置を引き継いで、第１フォーカスリング２０を操作した分だけフォーカスレンズを変位させることができ、使い勝手がよくなる。
【００６２】
また、第１の実施形態では、一対の磁石２２と磁石３２、及び磁石２４と磁石４２を使用しているが、一対の磁石のうちの一方は、磁石の替わりに鉄等の軟磁性材料からなる磁性部材としてもよい。
【００６３】
＜電磁石の制御＞
図５は電磁石１４の第１の実施形態を示す回路図である。図５に示すように、スイッチ５０をＯＮにすると、直流電源５２から可変抵抗５４を介して電磁石１４のコイル１４Ａに直流電流が流れ、電磁石１４が磁化されて磁力を発生する。スイッチ５０は、例えば、レンズ装置が装着されるカメラ等の電源スイッチのＯＮ／ＯＦＦに同期してＯＮ／ＯＦＦすることができる。
【００６４】
可変抵抗５４は、操作感触調整器（図示しない）の操作に応じて段階的、又は連続的に抵抗値を変更できるようになっている。この可変抵抗５４により、電磁石１４のコイル１４Ａに流す電流を調整することができ、電磁石１４から発生する磁力を調整することができる。即ち、第１フォーカスリング２０をスライド移動させる際の切替え力を可変にし、操作者の好みの切替え感触が得られるように調整することができる。
【００６５】
図６は電磁石１４の第２の実施形態を示す回路図である。尚、図５に示した回路と共通する部分には同一の符号を付し、その詳細な説明は省略する。
【００６６】
図６に示す電磁石１４の回路は、電流計６０と制御部６２とが追加されている点で、図５に示した第１の実施形態と相違する。
【００６７】
電磁石１４に常時通電すると、消費電力が過大になるが、第１フォーカスリング２０がスライド移動するときのみ通電することにより、消費電力を低減することができる。
【００６８】
電流計６０は、電磁石１４への通電をＯＦＦにした状態で、第１フォーカスリング２０をスライド移動させたときに生じる誘導起電力による電流値の変化を検出する。制御部６２は、電流計６０が検出する電流値の変化に基づいて第１フォーカスリング２０のスライド移動を検知すると、一定時間だけスイッチ５０をＯＮにする。
【００６９】
図７は上記制御部６２による電磁石１４の制御動作を示すフローチャートである。
【００７０】
図７に示すように制御部６２は、まず、電磁石１４を一定時間ＯＮにする（ステップＳ１０、Ｓ１２）。一定時間は、例えば、第１フォーカスリング２０がスライド操作される時間よりも長い適宜の時間である。
【００７１】
電磁石１４を一定時間ＯＮにした後、電磁石１４をＯＦＦにする（ステップＳ１４）。その後、制御部６２は、電流計６０からの検出電流に基づいて誘導起電力が発生したか否かを検知する（ステップＳ１６）。そして、誘導起電力が発生したことを検知すると、第１フォーカスリング２０がスライド移動を開始したと判断し、ステップＳ１０に遷移し、電磁石１４をＯＮにさせる。これにより、電磁石１４と第１フォーカスリング２０側の磁石との間に反発力を発生させ、切替え感触が発生するようにする。
【００７２】
尚、上記ステップＳ１４では、電磁石１４をＯＦＦにして消費電力を低減するようにしたが、これに限らず、電磁石１４への通電を微弱電流に切り替え、これにより消費電力を低減するようにしてもよい。また、誘導起電力の発生の有無により第１フォーカスリング２０がスライド移動を開始したか否かを検知するようにしたが、これに限らず、第１フォーカスリング２０の第１のスライド位置、及び第２のスライド位置を検出する検出器の検出出力に基づいて第１フォーカスリング２０がスライド移動を開始したか否かを検知するようにしてもよい。
【００７３】
図８は電磁石１４の第３の実施形態を示す回路図である。尚、図６に示した回路と共通する部分には同一の符号を付し、その詳細な説明は省略する。
【００７４】
図８に示す電磁石１４の回路は、コンデンサＣ１，Ｃ２と抵抗ＲによるＣＲ積分回路と、スイッチＳ１，Ｓ２が追加されている点で、図６に示した第２の実施形態と相違する。
【００７５】
操作者は、スイッチＳ１，Ｓ２のＯＮ／ＯＦＦを適宜選択し、電磁石１４への通電の立ち上がり特性を設定できるようになっている。いま、コンデンサＣ１，Ｃ２の容量がＣ１よりもＣ２の方が大きい場合、スイッチＳ１，Ｓ２が共にＯＦＦのとき、最も通電の立ち上がりが速く、続いて、スイッチＳ１のみがＯＮ、スイッチＳ２のみがＯＮ、スイッチＳ１，Ｓ２が共にＯＮの順に、通電の立ち上がりが遅くなる。
【００７６】
このようにスイッチＳ１，Ｓ２のＯＮ／ＯＦＦを適宜選択することにより、電磁石１４への通電の立ち上がり特性を設定すること、即ち、第１フォーカスリング２０を移動させる際の初期の操作感触を調整することができる。
【００７７】
［第２の実施形態］
図９は本発明に係るレンズ装置の第２の実施形態を示す要部断面図であり、第１フォーカスリング１２０がスライド方向の中間位置に位置している状態に関して示している。
【００７８】
前述した第１の実施形態のレンズ装置は、第１フォーカスリング２０、第２フォーカスリング３０及び第３フォーカスリング４０のリング間に互いに吸引する磁石を設けるようにしたが、第２の実施形態のレンズ装置は、磁石の替わりにクラッチ部が設けられている点で相違する。
【００７９】
即ち、第１フォーカスリング１２０の両端面には、鋸歯状の機械的なクラッチ部１２４、１２６が形成されており、第２フォーカスリング１３０及び第３フォーカスリング１４０の内側の端面には、前記クラッチ部１２４、１２６と噛み合う鋸歯状のクラッチ部１３２、１４２が形成されている。
【００８０】
次に、上記構成の第２の実施形態のレンズ装置の作用について説明する。
【００８１】
図９は、第１フォーカスリング１２０がスライド方向（矢印ＡＢ方向）の中間位置に位置している状態に関して示している。この状態では、レンズ鏡胴本体１０側の電磁石１４と第１フォーカスリング１２０側の磁石２６とが、レンズ鏡胴本体１１０の径方向に反発し、第１フォーカスリング１２０のスライド方向（矢印ＡＢ方向）への反発力は発生していない。尚、第１の実施形態と同様に、この状態は不安定な状態であるため、通常、この中間位置で第１フォーカスリング１２０が停止することはない。
【００８２】
図１０及び図１１は、それぞれ本発明に係るレンズ装置の第２の実施形態を示す要部断面図であり、第１フォーカスリング１２０がスライド方向（矢印Ａ方向）の一端の第１のスライド位置に位置している状態、及び第１フォーカスリング１２０がスライド方向（矢印Ｂ方向）の他端の第２のスライド位置に位置している状態に関して示している。
【００８３】
図１０に示すように、第１フォーカスリング１２０が手動により矢印Ａ方向にスライド操作され、図９に示した中間位置を越えると、第１フォーカスリング１２０は、電磁石１４と磁石２６との反発力により矢印Ａ方向の移動端まで移動する。
【００８４】
第１フォーカスリング１２０の矢印Ａ方向の移動端では、第１フォーカスリング１２０側のクラッチ部１２４が第２フォーカスリング１３０側のクラッチ部１３２に当接し、クラッチ部１２４、１３２が噛み合う。尚、クラッチ部１２４、１３２が噛み合っている状態では、第１フォーカスリング１２０は、図１０に示すように電磁石１４と磁石２６との反発力により第２フォーカスリング１３０側に付勢される。
【００８５】
上記電磁石１４と磁石２６による付勢力による当接時に、第１フォーカスリング１２０を介して良好な切替え感触が得られる。
【００８６】
ここで、第１フォーカスリング１２０を回転させると、第１フォーカスリング１２０が磁力により付勢され、クラッチ部１２４、１３２により機械的に連結された第２フォーカスリング１３０を同時に回転させることができ、これにより第２フォーカスリング１３０の回動位置に応じた絶対位置信号を出力することができる。
【００８７】
尚、第１フォーカスリング１２０は、クラッチ部１２４、１３２により第２フォーカスリング１３０と機械的に連結されるため、第２フォーカスリング１３０がエンド端に達したときには、第１フォーカスリング１２０を確実に停止させることができる。これにより、第１フォーカスリング１２０がエンド端に到達したときの操作感が得られる。
【００８８】
一方、図１０に示す状態から第１フォーカスリング１２０を、電磁石１４と磁石２６による付勢力に抗して矢印Ｂ方向にスライド操作し、第１フォーカスリング１２０が、図９に示した中間位置を越えると、図１１に示すように、第１フォーカスリング１２０は、電磁石１４と磁石２６との反発力（図１０の場合とは逆方向の反発力）により矢印Ｂ方向の移動端まで移動する。
【００８９】
また、第１フォーカスリング１２０をスライドさせる際に、第１フォーカスリング１２０が中間位置に近づくにつれて大きな操作力を必要とし、中間位置を越えると、急激に操作力が不要となるとともに、第１フォーカスリング１２０は、電磁石１４と磁石２６との反発力により矢印Ｂ方向の移動端まで移動する。この第１フォーカスリング１２０の操作力の変化により、良好な切替え感触が得られる。
【００９０】
第１フォーカスリング１２０の矢印Ｂ方向の移動端では、第１フォーカスリング１２０側のクラッチ部１２６が第３フォーカスリング１４０側のクラッチ部１４２に当接し、クラッチ部１２６、１４２が噛み合う。尚、クラッチ部１２６、１４２が噛み合っている状態では、第１フォーカスリング１２０は、電磁石１４と磁石２６との反発力により第３フォーカスリング１４０側に付勢され、クラッチ部１２６、１４２を介して第３フォーカスリング１４０と機械的に連結される。
【００９１】
ここで、第１フォーカスリング１２０を回転させると、第１フォーカスリング１２０に磁力により付勢され、クラッチ部１２６、１４２により機械的に連結された第３フォーカスリング１４０を同時に回転させることができ、これにより第３フォーカスリング１４０の回転量に応じた相対位置信号を出力することができる。
【００９２】
尚、第２の実施形態では、第１フォーカスリング１２０の第１のスライド位置又は第２のスライド位置において、クラッチ部１２４、１３２、又はクラッチ部１２６、１４２が確実に連結するように電磁石１４を常時通電するか、又は常時微弱電流を流しておくことが好ましい。
【００９３】
［その他］
上記実施形態では、第３フォーカスリングには、相対位置検出型センサと連結される歯車４４が形成されているが、第１フォーカスリング側に相対位置検出型センサと常時連結される歯車を形成するようにしてもよい。この場合、第３フォーカスリングは、第１フォーカスリングがＡＦ／ＭＦモード（エンド端なし）に切り替えられたときの切替え感触を発生させるとともに、該第１フォーカスリングを保持するリング部材として機能することになる。また、第１フォーカスリングと連結される相対位置検出型センサは、第１フォーカスリングによりＡＦ／ＭＦモード（エンド端なし）に切り替えられているときに動作可能にする。
【００９４】
また、この実施形態では、フォーカスリングのクリック機構について説明したが、これに限らず、レンズ鏡胴本体の周囲を回動するとともに、光軸方向にスライド移動するリング部材であれば、そのリング部材のスライド方向のクリック機構として適用できる。
【００９５】
また、本発明は上述した実施形態に限定されず、本発明の精神を逸脱しない範囲で種々の変形が可能であることは言うまでもない。
【符号の説明】
【００９６】
１０、１１０…レンズ鏡胴本体、１４…電磁石、２０、１２０…第１フォーカスリング、２２、２４、２６、３２、４２…磁石（永久磁石）、３０、１３０…第２フォーカスリング、４０、１４０…第３フォーカスリング、３４、４４…歯車、５０…スイッチ、５２…直流電源、５４…可変抵抗、６０…電流計、６２…制御部、１２４、１２６、１３２、１４２…クラッチ部
【図１】
0005555196.tif 000002
【図２】
0005555196.tif 000003
【図３】
0005555196.tif 000004
【図４】
0005555196.tif 000005
【図５】
0005555196.tif 000006
【図６】
0005555196.tif 000007
【図７】
0005555196.tif 000008
【図８】
0005555196.tif 000009
【図９】
0005555196.tif 000010
【図１０】
0005555196.tif 000011
【図１１】
0005555196.tif 000012
【図１２】
0005555196.tif 000013
【図１３】
0005555196.tif 000014
【図１４】
0005555196.tif 000015